(57)【要約】【課題】シート面に皺が生じることを防止しつつ、複数のシートから表面のシートを容易に取り出すことができるシート剥離治具を提供する。【解決手段】積み重なった複数のシートのうち表面のシート１を剥離するシート剥離治具１００であって、シート１に対する粘着と剥離が可能な弱粘着性の再剥離粘着部材２４が下端２１Ｂに取り付けられた軸部２１を有する押圧部材２０と、表面のシート１に向かって押圧部材２０の下端２１Ｂを進退可能に支持する支持基台１０と、を備え、支持基台１０は、下端２１Ｂをシート１から離す向きに付勢する圧縮ばね２３を介して押圧部材２０を支持し、押圧部材２０を圧縮ばね２３の付勢力に抗する力で押圧して、再剥離粘着部材２４をシート束５０の表面のシート１に接着させ、圧縮ばね２３の付勢力で元の位置に戻ることで積み重なった複数のシートから表面のシート１を剥離する。【選択図】図４
2019206407.tif 000002
【特許請求の範囲】
【請求項１】
積み重なった複数のシートのうち表面のシートを剥離するシート剥離治具であって、
該シートに対する粘着と剥離が可能な弱粘着性の粘着剤が先端に取り付けられた押圧部材と、
該表面のシートに向かって該押圧部材の該先端を進退可能に支持する押圧部材の支持基台と、を備え、
該支持基台は、
該先端を該シートから離す向きに付勢する弾性部材を介して該押圧部材を支持し、
該押圧部材を該弾性部材の付勢力に抗する力で押圧して該粘着剤を表面のシートに接着させ、該弾性部材の付勢力で元の位置に戻ることで積み重なった複数のシートから表面の該シートを剥離するシート剥離治具。
【請求項２】
該押圧部材は、表面のシートの面に対して斜めに進退し、剥離された該シートは積み重なった複数のシートの山の直上からはみ出した位置に位置付けられる請求項１に記載のシート剥離治具。
【発明の詳細な説明】
【技術分野】
【０００１】
本発明は、シート剥離治具に関する。
【背景技術】
【０００２】
一般に、粉体などの計量に用いる薬包紙（シート）は、複数枚の薬包紙が積層された紙束の状態で保管されており、薬包紙を使用する場合には紙束から表面の薬包紙を取り出している。この種の薬包紙は、表面が比較的平滑（つるつる）であるため、特に、手袋などをしている状態で紙束から表面の薬包紙を１枚ずつ取り出すのは容易ではない。
【０００３】
このため、従来、支持台上に集積載された複数枚の紙葉と支持台上部に設けられ、紙葉の集積厚に対応して上下できる紙押さえ棒からなり、紙葉の集積厚に従って紙押さえ棒を上下させると共に紙押さえ棒を紙葉面と圧接し、回転させることで、薬包紙やろ紙など紙葉を１枚ずつ取り出し可能な紙葉分離器が提案されている（例えば、特許文献１参照）。
【先行技術文献】
【特許文献】
【０００４】
【特許文献１】実開平０５−０６４１４３号公報
【発明の概要】
【発明が解決しようとする課題】
【０００５】
しかしながら、従来の構成では、紙押さえ棒を紙葉面と圧接した状態で回転させるため、取り出すための操作が煩雑になるといった問題がある。また、紙押さえ棒を回転させる際に、シート（紙葉）面に皺が寄ってしまい、例えば、粉体の計量がしにくくなるといった問題が想定される。
【０００６】
本発明は、上記に鑑みてなされたものであって、シート面に皺が生じることを防止しつつ、複数のシートから表面のシートを容易に取り出すことができるシート剥離治具を提供することを目的とする。
【課題を解決するための手段】
【０００７】
上述した課題を解決し、目的を達成するために、本発明は、積み重なった複数のシートのうち表面のシートを剥離するシート剥離治具であって、該シートに対する粘着と剥離が可能な弱粘着性の粘着剤が先端に取り付けられた押圧部材と、該表面のシートに向かって該押圧部材の該先端を進退可能に支持する押圧部材の支持基台と、を備え、該支持基台は、該先端を該シートから離す向きに付勢する弾性部材を介して該押圧部材を支持し、該押圧部材を該弾性部材の付勢力に抗する力で押圧して該粘着剤を表面のシートに接着させ、該弾性部材の付勢力で元の位置に戻ることで積み重なった複数のシートから表面の該シートを剥離するものである。
【０００８】
この構成によれば、弱粘着生の粘着剤でシートを粘着し、弾性部材の力で積み重なった複数のシートから表面のシートだけを剥離するため、例えば、手袋を装着した作業者であっても、シート面に皺が生じることを防止しつつ、１枚ずつ表面のシートを容易に取り出すことができる。
【０００９】
この構成において、該押圧部材は、表面のシートの面に対して斜めに進退し、剥離された該シートは積み重なった複数のシートの山の直上からはみ出した位置に位置付けられる構成としてもよい。この構成によれば、斜め方向にシートを取り外すことで、シートの山からはみ出す位置にシートが位置付けられるため、表面のシートをより容易に取り出すことができる。
【発明の効果】
【００１０】
本発明にかかるシート剥離治具は、弱粘着生の粘着剤でシートを粘着し、弾性部材の力で積み重なった複数のシートから表面のシートだけを剥離するため、例えば、手袋を装着した作業者であっても、シート面に皺が生じることを防止しつつ、１枚ずつ表面のシートを容易に取り出すことができる。
【図面の簡単な説明】
【００１１】
【図１】図１は、本実施形態に係るシート剥離治具を示す斜視図である。
【図２】図２は、シート剥離治具の側断面図である。
【図３】図３は、押圧部材の再剥離粘着部材をシート束の表面のシートに粘着した状態を示す模式図である。
【図４】図４は、再剥離粘着部材に粘着されたシートがシート束から剥離された状態を示す模式図である。
【図５】図５は、再剥離粘着部材に粘着されたシートを取り出す状態を示す模式図である。
【発明を実施するための形態】
【００１２】
以下、図面を参照しつつ、本発明の実施形態を詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
図１は、本実施形態に係るシート剥離治具を示す斜視図である。図２は、シート剥離治具の側断面図である。本実施形態に係るシート剥離治具１００は、複数のシート１が積み重ねられたシート束５０から表層（表面）のシート１を１枚ずつ剥離して取り出すための治具である。シート１は、表面が平滑に形成された厚みの薄い（３０μｍ）のシート体（例えば、薬包紙）が用いられる。薬包紙は、試薬などを計量または調合する際に使用される。薬包紙を取り扱う場合には、該薬包紙に手指の皮脂などの汚れが付着しないように、作業者は手袋を着用する。このため、手袋を着用した状態で、薬包紙の束から薬包紙を１枚ずつ取り出すことは容易ではないという事情がある。なお、シート１は、薬包紙に限るものではなく、積み重ねられたポリ（エチレン）袋（樹脂製袋）や、ろ紙などのシート体であってもよい。
【００１４】
シート剥離治具１００は、図１に示すように、支持基台１０と、この支持基台１０に支持される押圧部材２０とを備えて構成される。支持基台１０は、天板部１１と、この天板部１１にそれぞれ連結されて下方に延びる左右一対の側板部１２，１２及び背板部１３（図２）とを備え、作業台３０などの上に載置される。支持基台１０の前面には開口部１４が形成される。この開口部１４は、シート束５０（シート１）の幅よりも広く形成され、該シート束５０が収容される内部空間１５と連通する。側板部１２，１２及び背板部１３は、内部空間１５を区画すると共に支持基台１０の脚部として機能する。なお、支持基台１０が底板部を備え、この底板部にシート束５０を載せる構成としてもよい。
【００１５】
支持基台１０の天板部１１には、図２に示すように、該天板部１１を貫通する貫通孔１１Ａが形成されている。押圧部材２０は、この貫通孔１１Ａに摺動自在に支持される。押圧部材２０は、貫通孔１１Ａに挿通される軸部２１を備える。この軸部２１は、上端２１Ａが下端（先端）２１Ｂよりも支持基台１０の前面側に位置するように、軸心Ｓが鉛直線Ｐに対して所定角度θ傾斜している。すなわち、本実施形態では、軸部２１の下端２１Ｂが内部空間１５のシート束５０に接近するほど、この下端２１Ｂは背板部１３側に位置づけられ、該シート束５０から離間するほど、この下端２１Ｂは開口部１４側に位置づけられる。
【００１６】
軸部２１の上端２１Ａには、この軸部２１をシート束５０に向けて押圧操作するための操作部２２が取り付けられている。この操作部２２は、軸部２１よりも大径に形成されている。また、軸部２１の周囲には、操作部２２と天板部１１の上面１１Ｂとの間に介在される圧縮ばね（弾性部材）２３が設けられている。この圧縮ばね２３は、押し縮めることで反発する力を発揮するコイルばねであり、軸部２１の下端２１Ｂをシート１（シート束５０）から離間する方向に付勢している。このため、押圧部材２０は、押圧操作を中止すると、圧縮ばね２３の付勢力によって、シート束５０から下端２１Ｂが離間した位置（元の位置）に戻される。
【００１７】
軸部２１の下端２１Ｂには、再剥離粘着部材（粘着剤）２４が取り付けられている。この再剥離粘着部材２４は、弱粘着性を有し、シート１に対する粘着と剥離とを複数回実施することが可能な粘着剤である。再剥離粘着部材２４としては、例えば、ブチルゴムや合成ゴムを用いることができ、粘着された対象物に糊残りが生じないという利点を有する。また、再剥離粘着部材２４は、手指によって容易に形づけることができる。このため、本実施形態では、再剥離粘着部材２４の一部２４Ａを軸部２１の下端２１Ｂに形成された穴部２１Ｂ１に挿し込むことにより、再剥離粘着部材２４を軸部２１の下端２１Ｂに取り付けている。また、再剥離粘着部材２４を穴部２１Ｂ１から引き抜くことにより、再剥離粘着部材２４を軸部２１の下端２１Ｂを容易に取り外すこともできる。このように、再剥離粘着部材２４は、軸部２１の下端２１Ｂに容易に着脱可能に取り付けられているため、例えば、再剥離粘着部材２４の粘着力が低下した場合には、容易に新しい再剥離粘着部材２４に交換することができる。
【００１８】
次に、シート剥離治具の動作について説明する。図３は、押圧部材の再剥離粘着部材をシート束の表面のシートに粘着した状態を示す模式図である。図４は、再剥離粘着部材に粘着されたシートがシート束から剥離された状態を示す模式図である。図５は、再剥離粘着部材に粘着されたシートを取り出す状態を示す模式図である。
【００１９】
まず、支持基台１０の内部空間１５にシート束５０を配置する。この状態で、作業者は、図３に示すように、押圧部材２０の操作部２２を圧縮ばね２３の付勢力に抗する力で、斜め下方に押圧する。すると、押圧部材２０の軸部２１の下端２１Ｂがシート束５０の表面のシート１に向かって進行し、下端２１Ｂに設けた再剥離粘着部材２４が表面のシート１に接着する。
【００２０】
次に、作業者は、押圧部材２０の操作部２２から手を離して押圧部材２０の斜め下方への押圧を中止する。すると、図４に示すように、押圧部材２０は、圧縮ばね２３の付勢力によって、斜め上方に移動してシート束５０から軸部２１の下端２１Ｂが離間した位置（元の位置）に戻される。表面のシート１は、下端２１Ｂに設けた再剥離粘着部材２４に接着されることにより、押圧部材２０と共に上方に移動してシート束５０から剥離される。
【００２１】
本実施形態では、押圧部材２０の軸部２１は、上端２１Ａが下端（先端）２１Ｂよりも支持基台１０の前面側に位置するように、軸心Ｓが鉛直線Ｐに対して所定角度θ傾斜して配置されているため、剥離されたシート１は、積み重なったシート束（シートの山）５０の直上から、支持基台１０の開口部１４の方向にはみ出した位置に位置づけられる。このため、剥離されたシート１の縁部１Ａは、開口部１４を通じて、支持基台１０の外部に露出する。
【００２２】
次に、作業者は、図５に示すように、支持基台１０の外部に露出したシート１の縁部１Ａを、手袋を着用した手指６０でつまんで、該シート１を容易に取り出すことができる。再剥離粘着部材２４は弱粘着性を有するため、シート１の縁部１Ａを手指６０でつまむことにより、簡単に再剥離粘着部材２４から剥離される。また、シート１は、押圧部材２０と共に上方に移動してシート束５０から剥離されるため、剥離されたシート１に皺が生じることが防止される。さらに、再剥離粘着部材２４は、糊残りがないため、薬包紙のようなシート１に不純物が付着することを防止できる。
【００２３】
続いて、シート１を取り出したい場合には、再度、押圧部材２０の操作部２２を押し下げることで、シート束５０の表面のシート１を再剥離粘着部材２４に接着して剥離できる。
【００２４】
このように、本実施形態は、複数のシート１が積み重なったシート束５０の表面のシート１を剥離するシート剥離治具１００であって、シート１に対する粘着と剥離が可能な弱粘着性の再剥離粘着部材２４が下端２１Ｂに取り付けられた軸部２１を有する押圧部材２０と、表面のシート１に向かって押圧部材２０の下端２１Ｂを進退可能に支持する支持基台１０と、を備え、支持基台１０は、下端２１Ｂをシート１から離す向きに付勢する圧縮ばね２３を介して押圧部材２０を支持し、押圧部材２０を圧縮ばね２３の付勢力に抗する力で押圧して、再剥離粘着部材２４をシート束５０の表面のシート１に接着させ、圧縮ばね２３の付勢力で元の位置に戻ることで積み重なった複数のシートから表面のシート１を剥離するため、例えば、手袋を装着した作業者であっても、シート１に皺が生じることを防止しつつ、１枚ずつ、シート束５０の表面のシート１を容易に取り出すことができる。
【００２５】
また、本実施形態によれば、押圧部材２０の軸部２１は、上端２１Ａが下端（先端）２１Ｂよりも支持基台１０の前面側に位置するように、軸心Ｓが鉛直線Ｐに対して所定角度θ傾斜して配置されているため、押圧部材２０は、シート束５０の表面のシート面に対して斜めに進退し、剥離されたシート１は、積み重なったシート束（シートの山）５０の直上から、支持基台１０の開口部１４の方向にはみ出した位置に位置づけられる。このため、剥離されたシート１の縁部１Ａは、開口部１４を通じて、支持基台１０の外部に露出することにより、このシート１の縁部１Ａを手指６０でつまんで、該シート１を容易に取り出すことができる。
【００２６】
なお、本発明は、上記実施形態に限定されるものではない。すなわち、本発明の骨子を逸脱しない範囲で種々変形して実施することができる。
【符号の説明】
【００２７】
１  シート
１Ａ  縁部
１０  支持基台
１１  天板部
１１Ａ  貫通孔
１１Ｂ  上面
１４  開口部
１５  内部空間
２０  押圧部材
２１  軸部
２１Ａ  上端
２１Ｂ  下端（先端）
２４  再剥離粘着部材（粘着剤）
５０  シート束（シートの山）
１００  シート剥離治具
Ｓ      軸心
【図１】
2019206407.tif 000003
【図２】
2019206407.tif 000004
【図３】
2019206407.tif 000005
【図４】
2019206407.tif 000006
【図５】
2019206407.tif 000007